【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
端末装置との無線通信を行うマスタ基地局であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得する取得部と、
前記メッセージを前記セカンダリ基地局に送信する送信処理部と、
を備え、
前記メッセージは、前記通知のタイミングを前記セカンダリ基地局に指示するタイミング指示情報を含む、マスタ基地局。
【請求項２】
前記タイミング指示情報は、前記データ送信状況の更新時を前記通知のタイミングとして指示する、請求項１記載のマスタ基地局。
【請求項３】
前記タイミング指示情報は、前記データ送達状況の更新時を前記通知のタイミングとして指示する、請求項１記載のマスタ基地局。
【請求項４】
前記データ送達状況の更新は、前記セカンダリ基地局が前記端末装置からのステイタスレポートを受信したことに応答して行われる、請求項３記載のマスタ基地局。
【請求項５】
前記セカンダリ基地局から前記端末装置へ送信するためのデータには、当該マスタ基地局によって割り当てられたシーケンスナンバーが設定されており、
前記メッセージは、前記データ送信状況と前記データ送達状況とのうちの少なくとも一方の状況に関する通知対象となるシーケンスナンバーを指示するシーケンスナンバー指示情報を含む、請求項１乃至４のうち何れか１項記載のマスタ基地局。
【請求項６】
前記データ送信状況は、ＲＬＣ（Radio  Link  Control）レイヤにおけるデータ送信状況である、請求項１乃至５のうち何れか１項記載のマスタ基地局。
【請求項７】
前記データ送達状況は、ＲＬＣ（Radio  Link  Control）レイヤにおけるデータ送達状況である、請求項１乃至６のうち何れか１項記載のマスタ基地局。
【請求項８】
端末装置との無線通信を行うセカンダリ基地局であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信する受信処理部と、
前記メッセージに応じて、前記データ送信状況及び前記データ送達状況とのうちの少なくとも一方の状況に関する情報を、前記マスタ基地局に送信する送信処理部と、
を備え、
前記メッセージは、前記通知のタイミングを当該セカンダリ基地局に指示するタイミング指示情報を含み、
前記送信処理部は、前記タイミング指示情報が指示するタイミングで、前記データ送信状況及び前記データ送達状況とのうちの少なくとも一方の状況に関する情報を、前記マスタ基地局に送信する、セカンダリ基地局。
【請求項９】
端末装置との無線通信を行うマスタ基地局が行う方法であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を含み、
前記メッセージは、前記通知のタイミングを前記セカンダリ基地局に指示するタイミング指示情報を含む、方法。
【請求項１０】
端末装置との無線通信を行うセカンダリ基地局が行う方法であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送達状況とのうちの少なくとも一方の状況に関する情報を、前記マスタ基地局に送信することと、
を含み、
前記メッセージは、前記通知のタイミングを当該セカンダリ基地局に指示するタイミング指示情報を含み、
前記データ送信状況及び前記データ送達状況とのうちの少なくとも一方の状況に関する情報の送信では、前記タイミング指示情報が指示するタイミングで、前記データ送信状況及び前記データ送達状況とのうちの少なくとも一方の状況に関する情報を、前記マスタ基地局に送信する、方法。
【手続補正２】
【補正対象書類名】明細書
【補正対象項目名】０１２７
【補正方法】変更
【補正の内容】
【０１２７】
（付記１）
端末装置との無線通信を行うマスタ基地局であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得する取得部と、
前記メッセージを前記セカンダリ基地局に送信する送信処理部と、
を備え、
前記メッセージは、前記通知のタイミングを前記セカンダリ基地局に指示するタイミング指示情報を含む、マスタ基地局。
【手続補正３】
【補正対象書類名】明細書
【補正対象項目名】０１２８
【補正方法】変更
【補正の内容】
【０１２８】
（付記２）
前記タイミング指示情報は、前記データ送信状況の更新時を前記通知のタイミングとして指示する、付記１記載のマスタ基地局。
【手続補正４】
【補正対象書類名】明細書
【補正対象項目名】０１２９
【補正方法】変更
【補正の内容】
【０１２９】
（付記３）
前記タイミング指示情報は、前記データ送達状況の更新時を前記通知のタイミングとして指示する、付記１記載のマスタ基地局。
【手続補正５】
【補正対象書類名】明細書
【補正対象項目名】０１３４
【補正方法】変更
【補正の内容】
【０１３４】
（付記８）
端末装置との無線通信を行うセカンダリ基地局であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信する受信処理部と、
前記メッセージに応じて、前記データ送信状況及び前記データ送達状況とのうちの少なくとも一方の状況に関する情報を、前記マスタ基地局に送信する送信処理部と、
を備え、
前記メッセージは、前記通知のタイミングを当該セカンダリ基地局に指示するタイミング指示情報を含み、
前記送信処理部は、前記タイミング指示情報が指示するタイミングで、前記データ送信状況及び前記データ送達状況とのうちの少なくとも一方の状況に関する情報を、前記マスタ基地局に送信する、セカンダリ基地局。
【手続補正６】
【補正対象書類名】明細書
【補正対象項目名】０１３５
【補正方法】変更
【補正の内容】
【０１３５】
（付記９）
端末装置との無線通信を行うマスタ基地局が行う方法であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を含み、
前記メッセージは、前記通知のタイミングを前記セカンダリ基地局に指示するタイミング指示情報を含む、方法。
【手続補正７】
【補正対象書類名】明細書
【補正対象項目名】０１３６
【補正方法】変更
【補正の内容】
【０１３６】
（付記１０）
端末装置との無線通信を行うセカンダリ基地局が行う方法であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送達状況とのうちの少なくとも一方の状況に関する情報を、前記マスタ基地局に送信することと、
を含み、
前記メッセージは、前記通知のタイミングを当該セカンダリ基地局に指示するタイミング指示情報を含み、
前記データ送信状況及び前記データ送達状況とのうちの少なくとも一方の状況に関する情報の送信では、前記タイミング指示情報が指示するタイミングで、前記データ送信状況及び前記データ送達状況とのうちの少なくとも一方の状況に関する情報を、前記マスタ基地局に送信する、方法。
【手続補正８】
【補正対象書類名】明細書
【補正対象項目名】０１３７
【補正方法】変更
【補正の内容】
【０１３７】
（付記１１）
端末装置との無線通信を行うマスタ基地局に実行させるプログラムであって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を、前記マスタ基地局に実行させ、
前記メッセージは、前記通知のタイミングを前記セカンダリ基地局に指示するタイミング指示情報を含む、プログラム。
【手続補正９】
【補正対象書類名】明細書
【補正対象項目名】０１３８
【補正方法】変更
【補正の内容】
【０１３８】
（付記１２）
端末装置との無線通信を行うセカンダリ基地局に実行させるプログラムであって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送達状況とのうちの少なくとも一方の状況に関する情報を、前記マスタ基地局に送信することと、
を、前記セカンダリ基地局に実行させ、
前記メッセージは、前記通知のタイミングを当該セカンダリ基地局に指示するタイミング指示情報を含み、
前記データ送信状況及び前記データ送達状況とのうちの少なくとも一方の状況に関する情報の送信では、前記タイミング指示情報が指示するタイミングで、前記データ送信状況及び前記データ送達状況とのうちの少なくとも一方の状況に関する情報を、前記マスタ基地局に送信する、プログラム。
【手続補正１０】
【補正対象書類名】明細書
【補正対象項目名】０１３９
【補正方法】変更
【補正の内容】
【０１３９】
（付記１３）
端末装置との無線通信を行うマスタ基地局に実行させるプログラムを記録したコンピュータ読み取り可能な非一時的記録媒体であって、
前記端末装置との無線通信を行うセカンダリ基地局に要求するメッセージであって、前記セカンダリ基地局から前記端末装置へのデータ送信状況と前記セカンダリ基地局から前記端末装置へのデータ送達状況とのうちの少なくとも一方の状況に関する通知を要求する前記メッセージを取得することと、
前記メッセージを前記セカンダリ基地局に送信することと、
を、前記プログラムが前記マスタ基地局に実行させ、
前記メッセージは、前記通知のタイミングを前記セカンダリ基地局に指示するタイミング指示情報を含む、記録媒体。
【手続補正１１】
【補正対象書類名】明細書
【補正対象項目名】０１４０
【補正方法】変更
【補正の内容】
【０１４０】
（付記１４）
端末装置との無線通信を行うセカンダリ基地局に実行させるプログラムを記録したコンピュータ読み取り可能な非一時的記録媒体であって、
前記端末装置との無線通信を行うマスタ基地局から、当該セカンダリ基地局から前記端末装置へのデータ送信状況と当該セカンダリ基地局から前記端末装置へのデータ送達状況とのうちの少なくとも一方の状況に関する通知を要求するためのメッセージを受信することと、
前記メッセージに応じて、前記データ送信状況及び前記データ送達状況とのうちの少なくとも一方の状況に関する情報を、前記マスタ基地局に送信することと、
を、前記プログラムが前記セカンダリ基地局に実行させ、
前記メッセージは、前記通知のタイミングを当該セカンダリ基地局に指示するタイミング指示情報を含み、
前記データ送信状況及び前記データ送達状況とのうちの少なくとも一方の状況に関する情報の送信では、前記タイミング指示情報が指示するタイミングで、前記データ送信状況及び前記データ送達状況とのうちの少なくとも一方の状況に関する情報を、前記マスタ基地局に送信する、記録媒体。